Podtech/llm-jp-corpus-v4-ja_patent huggingface dataset:
(57)【要約】      （修正有）【課題】チェーンソーの刃の目立てを行なう際に、刃の目立て角度を明確にガイドし、更に刃の固定まで同時に行なえる小型軽量かつ取り扱い操作が簡単で刃長測定機能を備え、サイズの違うほとんどのソーチェーンに使用可能な目立て用補助具を提供する。【解決手段】横板１と上板２、ガイド板４を、チェーンの上からかぶせるようにして手で上から押さえながら、挟むように持つことで刃が動かないように固定する。右の刃を目立てするときは、バーの右側に取り付け、ヤスリホール３にヤスリを入れて、ガイド板４のラインに添って角度を設定する。左の刃は左側に取り付け、反対側のラインに添って同様に行なう。刃長目盛り５で刃の長さを測定し、同じ長さになるように目立てを行なう。【選択図】図１
2010264583.tif 000002
【特許請求の範囲】
【請求項１】
〔図１〕のような１横板と２上板から成る不等辺アングル状の本体に、３ヤスリホール、正三角形の先端をカットした形の４ガイド板と５刃長目盛を備えたチェーンソーの刃を目立てする際の補助具
【発明の詳細な説明】
【技術分野】
【００１】本発明は、チェーンソーの刃を目立てするときに、刃が動かないように固定し、同時に、刃の角度、つまりヤスリを動かす角度をガイドしてくれる機能と刃の長さを測定できる、取り付けや操作が簡単で小型軽量な目立て用補助具である。
【背景技術】
【００２】チェーンソーの刃の目立ては重要な作業であるが、又、非常に難しい作業である。相当な熟練した人でもなかなか上手く出来ていないのが現実である。そこで機械的にヤスリの位置を固定する目立て機と言うものが数種類あるが、電源を必要としたり、平らな安定した場所を必要としたり、さらにサイズが大きくミリ単位の取り付けが必要であったりと、とても山の中の現場に携帯して使用するには適さなかった。そこで、簡単な目立て補助具が数種類あり、これらを使用する訳であるが、どれも刃を固定する事と、目立て角度のガイドを同時に行なえるものは無かった。また、刃の長さを測定出来るものも無かった。
【発明が解決しようとする課題】
【００３】（イ）目立て時の刃の固定。  ソーチェーンは一定の緩みを持たせてあるため、ヤスリ掛けの際、左右に刃が傾いたり上下に動いたりする。すると正確な目立てが出来なくなってしまうので、下側のチェーンを引っ張り、バーとの間に木の棒などを差し込みチェーンを強く張り、緩みを取るのであるが、チェーンを送る度に抜いたり差したりを繰り返さなければならない。又、チェーンバイスという固定用の道具もあるが、やは締め付けたり緩めてチェーンを送ったりの動作を繰り返さなければならず、とても面倒であった。
（ロ）刃の目立て角度のガイド。    ソーチェーンの刃は［図４］のような構造になっている。図は右カッターであるが、この逆の構造の刃が交互にチェーンに取つけられる。６トッププレートの先端と７サイドプレート部分が刃になっている。トッププレートは後方に行くほど低くなっている刃の先端角度は進行方向に対して直角ではなく３０度の角度が付いている、つまり先端角度は６０度になる。カッターの種類により角度が１０度大きいものと小さいものがあるが、主流となっているものは前者である。８カッティングコーナーは９０度のものと８０度のものと二種類あるが、主流となっているのは後者である。目立てはこのような条件を満たすように行なわなければならないが、刃はとても小さいので目見当や感だけで行なっていると各カッターの角度が狂ってしまう。すると切れ味が悪くなり、作業効率や安全性まで低下させてしまう。
（ハ）刃の長さを揃える    先に述べたように６トッププレートは後退するほど低くなる、つまり刃が短くなるほど高さが低くなるので、空振りしているような状態になり切削能力が低下する。特に左右で長さが違うと木が真っ直ぐに切れなくなる、これを切れ曲がりと言い、木に挟まれてチェーンが止まってしまうこもあり大変危険であり、又、チェーンソーの破損にもつながる。
（ニ）操作が簡単で小型軽量であること。      取り付けにミリ単位の正確さを要するもの、取り付けが面倒なもの、平らな安定した場所が必要だったりするものなどは不安定な現場では適していない。又、大きなものや重いものも持ち運びに不便であった。
【課題を解決するための手段】
【００４】［図１］のような器具を製作する。１横板と２上板は９０度の角度を成し、右カッター目立て用の３ヤスリホールと４ガイド板を備える。ガイド板は上から見ると［図３］のようになる。本来は内角６０度の正三角形であるが目立ての際の手の安全のために手前側の先端は削ってある。これを［図５］上面図のように上からかぶせて押さえながら手で挟むように持つ。図は右カッター目立ての場合である。そして６トッププレートを２〜３ミリ程出して丸棒ヤスリを７サイドプレートと６トッププレートに密着させ傾きを設定し、ガイド板のラインと平行に↑方向に押してヤスリ掛けを行なう。この時［図６］断面図のように刃はアングルのコーナーと上板、横板により、上方向と向こう側から固定される。実験でかなり力を入れてヤスリ掛けを行なってみたが、刃は全く微動だしなかった。    左カッター目立ての場合は左側から取り付け、ガイド板の逆側のラインを使い、同様に行なう。又、刃の長さを揃える場合は基準となる刃を決めて、［図２］正面図の５刃長目盛で計りながら目立てを行なう。
【発明の効果】
【００５】（イ）本発明を使用することにより、刃の固定器具を使用し、いちいちネジ等を締めたり緩めたり、クサビを差したり抜いたりしなくても上からかぶせて手で押さえるだけで刃を簡単に固定できるようになった。
（ロ）ヤスリをガイドする長めのラインが刃の真上に設定でき、しかも刃先の２〜３ミリ程度という近い位置に固定できたので目立て角度が非常にわかりやすく、ヤスリ掛けがしやすくなった。
（ハ）小型軽量でどこでも持ち運び出来て、場所を選ばず使用できるようになった。使い方が簡単で初心者でも使用できる。
（ニ）カッターのサイズの大小に関係なく、ほとんどのソーチェーンに使用出来るものが出来た。又、左利きの人にも、２上板３ヤスリホール４ガイド板５刃長目盛の位置を左右逆に設定するだけで同様に使用できる。
【図面の簡単な説明】
【００６】
【図１】本発明の簡単な斜視図
【図２】本発明の正面図
【図３】本発明の上面図
【図４】チェーンソーのカッター部分の簡単な斜視図
【図５】本発明を使用時の簡単な上面図
【図６】本発明を使用時の簡単な横断面図
【符号の説明】
【００７】１  横板        ２上板      ３ヤスリホール
４  ガイド板    ５  刃長目盛
６  トッププレート      ７サイドプレート
８  カッティングコーナー      ９  ヤスリ
１０  チェーン      １１  バー
【図１】
2010264583.tif 000003
【図２】
2010264583.tif 000004
【図３】
2010264583.tif 000005
【図４】
2010264583.tif 000006
【図５】
2010264583.tif 000007
【図６】
2010264583.tif 000008
(57)【要約】  【課題】  晴雨いずれの天候のときにも支障なく用いることのできる晴雨兼用靴を提供する。  【解決手段】  靴底材１ａ上に甲皮体１ｂを設けて靴本体１を構成し、該靴本体１に前記甲皮体１ｂを取り囲む上面開口の周溝３を設ける。該周溝３に下端を前記靴本体１に取付け手段で取付け、しかも、前記甲皮体１ｂを取り囲み、かつ、該甲皮体１ｂの高さより長くして使用者の脚を取り囲むようにして配する、非透水シートより成るカバー筒５を引き出し自在の収設した、晴雨兼用靴。【選択図】    図３
2010264166.tif 000002
【特許請求の範囲】
【請求項１】
靴底材上に甲皮体を設けて靴本体を構成し、該靴本体に前記甲皮体を取り囲む上面開口の周溝を設け、該周溝に下端を前記靴本体に取付け手段で取り付け、しかも、前記甲皮体を取り囲み、かつ、該甲皮体の高さより長くして脚を取り囲むようにして配する、非透水シートより成るカバー筒を収設した、晴雨兼用靴。
【請求項２】
靴本体にカバー筒を取付け手段で着脱自在に取付けた、請求項１記載の晴雨兼用靴。
【請求項３】
周溝の底壁に挟持溝を設け、該挟持溝にカバー筒の接続端部を嵌脱自在に取付けた、請求項２記載の晴雨兼用靴。
【発明の詳細な説明】
【技術分野】
【０００１】
本発明は、晴雨いずれの天候のときでも支障なく用いることのできる晴雨兼用靴に関するものである。
【背景技術】
【０００２】
甲皮体の履口部にスパッツ部を伸縮自在に取付け、晴天時には該スパッツ部を縮小状態におき、雨天時には伸展させて脚部を套装して雨に対応するようにした構造のものがある（例えば、特許文献１）。
【先行技術文献】
【特許文献】
【０００３】
【特許文献１】実開昭６２−９９０３号公報
【発明の概要】
【発明が解決しようとする課題】
【０００４】
前記従来構造のものは、雨天時にスパッツ部を伸展させて、要は、長靴状にして雨天に対処するものであるが、スパッツ部によって甲皮体を套装する構造になっていないので、甲皮体を防水性にしておく必要があり、そのため、晴天時には甲皮部の通気性の欠如により履き心地が良いとはいえない。
【０００５】
本発明は、晴雨いずれの天候のときにも、支障なく用いることのできる、斬新な構造の晴雨兼用靴を提供することを目的として創案したものである。
【課題を解決するための手段】
【０００６】
靴底材上に甲皮体を設けて靴本体を構成し、該靴本体に前記甲皮体を取り囲む上面開口の周溝を設け、該周溝に下端を前記靴本体に取付け手段で取り付け、しかも、前記甲皮体を取り囲み、かつ、該甲皮体の高さより長くして脚を取り囲むようにして配する、非透水シートより成るカバー筒を収設したことを基本的手段とし、この基本的手段に靴本体にカバー筒を取付け手段で着脱自在に取付けた点を付加することにより、カバー筒を交換することができるから、カバー筒が損傷しても不都合なく、靴本体側の経時変化に対応でき（カバー筒の損傷による使用不可になることがない）、また、周溝の底壁に挟持溝を設け、該挟持溝にカバー筒の接続端部を嵌脱自在に取付けた点を付加することによりカバー筒を容易に交換することのできる晴雨兼用靴を提供できる。
【発明の効果】
【０００７】
本発明によれば、雨天時に靴本体の甲皮体をカバー筒で套装できる構造のものであるから、甲皮体を特別に防水機能を施す必要のない、従って、晴天時の履き心地が損なわれることのない晴雨兼用靴を提供できる。
【図面の簡単な説明】
【０００８】
【図１】一部欠截側面図。
【図２】図１の平面図。
【図３】要部の断面図。
【実施例】
【０００９】
図面は本発明に係る晴雨兼用靴の一実施例を示し、実施例の晴雨兼用靴Ａは、靴底材１ａ上に甲皮体１ｂを設けて構成した靴本体１と、該靴本体１に取付けたカバー筒５とで構成する。
【００１０】
実施例の靴本体１の甲皮体１ｂは、運動靴のように履口部１ｂ´が定形的なものであるが、靴紐その他の手段によって履口部１ｂ´の径を広狭自在に変えられるものであっても不都合はなく、図示のものは、布製の甲皮体１ｂとしてある。
【００１１】
靴本体１の前記靴底材１ａには、この甲皮体１ｂを取り囲むようにして上面開口の周溝３を設け、周溝３は、底壁材３ａと該底壁材３ａを介して相対する内外の側壁材３ｂ，３ｃより成る周溝構成材３Ａを、前記底壁材３ａにおいて前記靴底材１ａに、前記内側壁材３ｂにおいて前記甲皮体１ｂにそれぞれ接着して設けたもので、弾性のゴム又は合成樹脂で構成してある。
【００１２】
この周溝３を構成する前記周溝構成材３Ａの底壁材３ａには、内外方向の中央部に沿わせて内外の挟持突条４ａ，４ｂを相対して立設し、該挟持突条４ａ，４ｂによって前記周溝３内に存する、上面開口の挟持溝４を構成させてある。
【００１３】
挟持溝４は、開口上端を内部径より幅狭くして、あり溝状を成し、該挟持溝４に嵌合したカバー筒５の接続端部５ａを受止して挟持溝４からの接続端部５ａの脱落を防ぐようにしてある。
【００１４】
カバー筒５は、前記甲皮体１ｂを取り囲み、かつ、甲皮体１ｂの高さより高い筒状体で成り、雨水の甲皮体１ｂへの浸み込みを防ぐ、非透水シートで構成したもので、筒状主体５ｂの先端（下端）に、前記挟持溝４に嵌合できる程度の断面円形の前記接続端部５ａを設け、該接続端部５ａを挟持溝４に、該挟持溝４を構成する挟持突条４ａ，４ｂの弾性変形を利用して強制的に嵌合して嵌脱自在に取付け、筒状主体５ｂ部を折り曲げて前記周溝３内に収設するようにしたものである。
【００１５】
なお、挟持溝４は断面欠円形で接続端部５ａはこれに合わせて断面円形としてあるが、この形状に限定する必要はなく、要は接続端部５ａが厚肉となって挟持溝４に嵌合、係止できれば良い。
【００１６】
そして、挟持溝４と接続端部５ａの嵌合関係によって靴本体１に取付けたカバー筒５を、折り畳むようにして周溝３に収設しておくことにより晴天時の靴Ａの使用状態を得られ、雨天時には周溝３よりカバー筒５を引き出し、伸展させて使用者の脚部に被せ、紐Ｓで縛ることによって雨天時の靴Ａの使用状態を得られる。
【００１７】
なお、紐（所謂ゴム紐やゴム輪でも良い）Ｓはカバー筒５の適所にその一部を熔着或いは縫着又は接着などの止着手段で取付けておくか、それともカバー筒５とは別体のものとして用意しておけば良く、いずれにしても、カバー筒５と共に周溝３内に収設するようにしておくと良い。
【００１８】
カバー筒５は、透水性を備え、小さく折り畳める合成樹脂を素材とすると好適であるが、織物に防水加工を施したものであっても、必ずしも不都合とはいえない。
【００１９】
なおまた、実施例はカバー筒５を靴本体１（挟持溝４）に着脱自在にしてあるが、これはカバー筒５を消耗品として捕え、損傷しても不都合がなく、安価に提供できることが期待できるからで、着脱自在な取付け手段は、実施例の構造に限定する必要はないし、例えば、カバー筒５を靴本体１に熔着する等固定して設けても差し支えはない。
【符号の説明】
【００２０】
１      靴本体
１ａ    靴底材
１ｂ    甲皮体
３      周溝
５      カバー筒
【図１】
2010264166.tif 000003
【図２】
2010264166.tif 000004
【図３】
2010264166.tif 000005
(57)【要約】【課題】往来の方法でのコイルを利用した磁気治療器は磁場の発生する範囲がその形状と電流値によりおのずから決まるという問題があった。【解決手段】本発明は、柔軟性のある磁性体若しくは可動式の磁性体で接点を持たせたコイルを磁力発生手段として利用することにより、往来の方法では困難であった範囲で磁場を発生させ、且つ、駆動部でコイルへの電気信号を正弦波、三角波、矩形波に切替え、その各々の波形の周波数の調整をし、さらに電流及び電圧を調整することで、個人差のある肩こり等の治療をより効果的にすることが出来る。【選択図】図1
2010264153.tif 000002
【特許請求の範囲】
【請求項１】
柔軟性のある磁性体若しくは可動式の磁性体で接点を持たせたコイルを磁力発生装置とし、且つコイルを縦方向に作用させることを特徴とする磁気治療器。
【請求項２】
請求項1に記載のコイルを駆動する手段として、電気信号を正弦波、三角波、矩形波の
切替が出来、また各々の周波数の調整が出来、さらに電流及び電圧を調整する駆動部を
持つことを特徴とする磁気治療器。
【請求項３】
上記記載のコイルを利用し、程良い温度でのマッサージ効果を有した磁気治療器。
【発明の詳細な説明】
【技術分野】
【０００１】
本発明は柔軟性のある磁性体若しくは可動式の磁性体で接点を持たせたコイルを磁力発生手段とし磁気ループを発生させることで、人体への磁気の影響範囲を容易に変化させ、また、駆動部でコイルへの電気信号を正弦波、三角波、矩形波に切替え、その各々の波形の周波数の調整をし、さらに電流及び電圧を調整することで、人体への影響度を容易に変化させることが出来る磁気治療器に関するものである。
【背景技術】
【０００２】
往来の細長型のコイルを利用した磁気治療器はその形状から人体に対し長手方向にしか影響を与えられず磁場の発生する範囲がその形状と電流値によりおのずから決まるという問題があった。また、往来のコイルを人体に対し縦方向に作用させる磁気治療器も、単体のコイルであることで磁場の発生する範囲がその形状と電流値によりおのずから決まるという問題があった。
【発明の開示】
【発明が解決しようとする課題】
【０００３】
本発明は、このような往来のコイルを利用した磁気治療器が有していた問題を解決しようというものであり、柔軟性のある磁性体若しくは可動式の磁性体で接点を持たせたコイルを磁力発生手段とすることにより、往来の方法では困難であった範囲で磁場を発生させ、且つ、駆動部でコイルへの電気信号を正弦波、三角波、矩形波に切替え、その各々の波形の周波数の調整をし、さらに電流及び電圧を調整することで、個人差のある肩こり等の治療をより効果的にするために考えたものである。
【課題を解決するための手段】
【０００４】
上記の課題を解決するために、本発明の柔軟性のある磁性体若しくは可動式の磁性体で接点を持たせたコイルを磁力発生手段とし、且つ、コイルを人体に対し縦方向で作用させ、また、駆動部でコイルへの電気信号を正弦波、三角波、矩形波に切替え、その各々の波形の周波数の調整をし、さらに電流及び電圧を調整することを特徴とする磁気治療器は、図1のように柔軟性のある磁性体若しくは可動式の磁性体で接続した磁心に連続した電線を巻き、接続させる磁性体の寸法や数量並びに駆動部での電気信号波形の切替やその周波数の調整、さらに電流及び電圧の調整で容易に発生させる磁場を変化させ、人体への影響度を容易に変化させることが出来ることを特徴とする。
【発明の効果】
【０００５】
上述したように本発明では、往来の細長型のコイルを人体に対し長手方向に作用させたり、人体に対しては縦方向であっても単体のコイルを利用した磁気治療器とは異なり、柔軟性のある磁性体若しくは可動式の磁性体で接点を持たせたコイルを利用することで、磁束の漏れを減らし、整え、且つ治療したい部位に適切な電気信号の波形、周波数、電流値、電圧で発生させる磁場を変化させ、さらに程良い温熱効果を与えることが出来、往来の磁気治療器での問題を解決するという効果を発揮するものである。
【発明を実施するための最良の形態】
【０００６】
以下、本発明の実施形態を図1、図2に基づいて説明する。
【０００７】
図1は本発明の実施形態に係り、図2は請求項1に関する基本図である。
【０００８】
図1は本発明の実施形態の１例を示した図である。図1に示すように柔軟性のある磁性体若しくは可動式の磁性体で接点を持たせたコイルを磁力発生手段とした１本ないしは複数の人体への装着部を本体の駆動部へ接続する。本体の駆動部ではコイルへの電気信号を正弦波、三角波、矩形波に切替える調整つまみとその各々の波形の周波数の調整をするつまみと電流出力調整つまみを備えている。
【０００９】
図5は人体への装着部を正面から見た図である。この時接続する柔軟性のある磁性体若しくは可動式の磁性体は折り曲げ加工をしてもよく、また必ずしも１枚の板でなくとも、キャタピラ状の連続した磁性体のコマでも可能である。
つまり、人体への装着面と逆側で閉じられた磁気回路を構成することが肝要である。
【特許文献１】登録実用新案第3009733号
【図面の簡単な説明】
【００１０】
【図１】本発明の実施実態の1例を示す図
【図２】本発明の人体への装着部を示す正面図
【符号の説明】
【００１１】
1  装着部
2  本体
3  周波数調整つまみ
4  出力調整つまみ
5       
信号波形切替つまみ
6  周波数表示部
7  出力表示部
8  装着部コイル
9  柔軟性のある磁性体若しくは可動式の磁性体の接続部
【図１】
2010264153.tif 000003
【図２】
2010264153.tif 000004
(57)【要約】      （修正有）【課題】大腿および下腿筋肉、特に下腿三頭（ふくらはぎ）のストレッチ運動がいろいろな姿勢で容易に一人でできるように補助するストレッチベルトを提供する。【解決手段】ストッレッチベルトの素材を帆布にし、足底部ベルトと２本の持ち手ベルトをリング状に縫製し、２本の持ち手ベルトを両側にひらき、足底部ベルトに足をのせるようにし、自在に足の位置を変えることができることにより筋肉部所を簡単に選べるようにする。【選択図】図１
2010264108.tif 000002
【特許請求の範囲】
【請求項１】
ストレッチベルトの素材を帆布にすることにより柔軟性と強度を増し,足底部ベルトと２本の持ち手ベルトをリング状に縫製し、長さを1：1にすることにより収納性を向上させる特徴を持つストレッチベルト。
【請求項２】
２本の持ち手ベルトの間に足を入れ、足底部ベルトにのせる。自由にのせる位置を変えることができることにより筋肉部所を簡単に選べ、大腿および下腿筋肉、特に下腿三頭金（ふくらはぎ）のストレッチ、回復運動が容易に一人でできる特徴を持つストレッチベルト。
【発明の詳細な説明】
【技術分野】
【０００１】
本発明は大腿および下腿筋肉、特に下腿三頭金（ふくらはぎ）、アキレス腱をストレッチするための運動補助ベルトに関する発明。                
【背景技術】
【０００２】
運動中に大腿、下腿の筋肉がつった場合やコムラ返りの回復のためのストレッチを一人で行うことが難しく介助が必要だった。
【先行技術文献】
【特許文献】
【０００３】
【特許文献１】特開2007-215967
【発明の概要】
【発明が解決しようとする課題】
【０００４】
持ち運びが容易であること、どのような姿勢でも一人で回復のためのストレッチができることが前述の欠点を解決しようとするものである。
【０００５】
大腿および下腿筋肉、特に下腿三頭金（ふくらはぎ）をストレッチすることにより、刺激し血流をうながしし血管の老化を予防する運動が容易に一人でできるようにしようとするものである。        
【課題を解決するための手段】
【０００６】
本発明はストレッチ用のベルトの形状をリング状にし、足底部分と持ち手ベルトの長さの比率を1：1また足底部分のベルトの巾は持ち手ベルトの２倍強とし、どの位置でも足底部が安定しまた足底部分と持ち手ベルトの長さの比率が1：1のため収納時コンパクトに折りたためる。容易に持ち運べ、どこでも一人でできるようにした。
【０００７】
ベルトの素材を帆布にすることにより柔軟性が増し、どの位置でも足底部が安定しまた足をのせる位置が自由になることによりストレッチ効果のあがる筋肉部所を簡単に選べ、大腿および下腿筋肉、特に下腿三頭金（ふくらはぎ）のストレッチ運動が容易に一人でできるようにしようとするものである。
【発明の効果】
【０００８】
上述のようにストレッチ用のベルトの形状をリング状に縫製し、ベルトの素材自体伸を帆布にすることにより柔軟性が増しどの位置でも足底部が安定し運動中に大腿、下腿の筋肉がつった場合やコムラ返りの回復のためだけでなく、血管の老化を予防する下腿三頭金（ふくらはぎ）ストレッチが容易に一人でできるものである。        
【図面の簡単な説明】
【０００９】
【図１】本発明の大腿・下腿用ストレッチベルトの正面・側面図である。
【図２】本ストレッチベルトの一実施例を示す図である。
【発明を実施するための形態】
【００１０】
ストレッチベルトの素材を帆布にすることにより柔軟性と強度を増し,  ２本の持ち手ベルトを足底部ベルトに形状がリング状になるように縫製し、足底部ベルトと２本の持ち手ベルトの長さを1：1にすることにより収納性を向上させる、足底部ベルトと持ち手ベルトの接合面はターポリン生地を補強縫製する。
【実施例】
【００１１】
以下、添付図面に従って一実施例を説明する。１は強度・耐久性のある帆布製ベルト等の適正素材と補強用ターポリン素材で縫製された足底部、２は持ち手ベルトで、足底部とリング状に縫製することにより強度を増す、１と２の長さを同じにすることで収納性を向上、３の足底部ベルトと持ち手ベルトの接合面はターポリン生地で補強縫製する。
【００１２】
本発明の一実施例は上述の如き構成からなるものである。２の持ち手ベルトが両側にひらき、１の足底部に足をベルトに乗せ易くし、自在に変えることができることにより筋肉部所を簡単に選べ大腿および下腿筋肉、特に下腿三頭金（ふくらはぎ）をストレッチ、回復運動が容易に一人でできる。
【符号の説明】
【００１３】
１    足底部ベルト
２    持ち手ベルト
３    補強接合面
【図１】
2010264108.tif 000003
【図２】
2010264108.tif 000004
(57)【要約】      （修正有）【課題】エアクッションの形が平たんで座ってお尻に密着した際変化がない。【解決手段】突起２のついたゴム素材の丸いボール１の空気の注入を八文目にするクッションを作成すれば丸いボール１の形と突起２部分が座った時に心地よい小刻みな揺れと突起２部分の感触を楽しむことが出来る。【選択図】図１
2010264197.tif 000002
【特許請求の範囲】
【請求項１】
ゴム素材に突起をつけ１６ｃｍの丸いボールを作り繋ぎ合わせて作るクッション（図１）
【発明の詳細な説明】
【発明の詳細な説明】
【技術分野】
【０００１】この発明は、突起のついた丸いボールを幾つか繋ぎ合わせたクッション（図１）
【背景技術】
【０００２】従来のエアクッションは、長方形の形を繋ぎ合わせた物、平らの中に丸い穴を開けた平たんなクッションにカバーをかぶせた物だった。
【発明が解決しようとする課題】
【０００３】従来のクッションは、形が限られており平たんに出来ている為座った時にお尻がクッションに密着して、長時間座っていても変化がない。
座った時に変化を起こす為の課題として研究を進めた。
【課題を解決するための手段】
【０００４】本考案は、その欠点を取り除く為になされたもので、これを図面において説明すれば突起のついたボールを繋ぎ合わせて作るものである。（図１）
【発明を実施するための形態】
【０００５】以下、本発明の実施の形態について説明する。
突起のついたボールを繋ぎ合わせ空気の通る道をつけて作成したクッションに、カバーをつける。
ボールに注入する空気は、八文目迄の注入とし作成するものである。
【発明の効果】
【０００６】本発明を使用する事によって形を丸く突起のついた丸いボールを幾つか繋ぎ合わせたこと、空気の注入を八文目にしたことにより小刻みな揺れが生じ座った時に安定感が増し突起がついていることで丸くなった形によりお尻に程よい刺激と指圧の効果が起き心地よさを感じることが出来る。この商品の最終利用法として空気注入が不可能になった後は、突起部分を活かし切り開きキッチンマットなどの上に張りその上に立てば足裏の指圧としても利用が出来ゴミ削減においてのエコに繋がる。
【図面の簡単な説明】
【図１】本発明の突起のついたボールを繋ぎ合わせた斜視図
【図２】本発明の斜視図
【符号の説明】［１］ボール
［２］突起
［３］空気入れ口
［４］空気を通す道
【図１】
2010264197.tif 000003
【図２】
2010264197.tif 000004
(57)【要約】      （修正有）【課題】個々の顔面形状に合致した形状で有害物質の吸引、飛散を防ぐための気密性を有し、着用時のズレなどを解消すると共に、使い捨ての廃棄量を半減させるためのマスクを提供する。【解決手段】外側カバ−にフレ−ムを組付け、このフレ−ムを個々の顔面形状に合致させ、その内部に取替マスク部を組付け使用する。外側カバ−でフレ−ムに適度の圧力をかける。顔面との密着度を高め気密性を保つ事で素材の能力を十分発揮する事が出来る。外側カバ−と組付けたフレ−ムを繰り返し使用する事により、取替マスク部の容量を軽減し、廃棄量を半減する事で環境にも貢献する物である。【選択図】図１
2010264198.tif 000002
【特許請求の範囲】
【請求項１】
次の３種の部材から成る気密性を確保し、廃棄量を半減するためのマスク。
（イ）フレ−ム部
あらかじめ卵形に形成したフレ−ムを、個々の顔面形状に合わせて再度曲げ調整を行い、個々の顔面と合致させ、気密性を高めるためのフレ−ム部。
（ロ）カバ−部
通気性の良い布状の外側カバ−に（イ）で述べたフレ−ムを組付け、洗濯可能とする事で繰り返し使用する。又、２重構造とし耳掛部をクロスさせる事で、安定した使用形態を保つ。
（ハ）取替マスク部
不織布を使用した取替マスク部の面積を少なくする事で、使い捨ての部分を半減し、環境にも貢献出来る取替マスク部。
【発明の詳細な説明】
【技術分野】
【０００１】  本発明は気密性を高める事により、有害物質の排除と咳などの飛散を防ぐと供に、再使用可能のマスクカバ−を用いる事で、使い捨て部分を少なくし環境にも貢献するためのマスクである。
【背景技術】
【０００２】  従来のマスクは素材の質は著しく向上したが、気密性が不備のため、素材の能力は１００％発揮されていない。さらに全体を使い捨てとする事で環境に配慮する部分は少ない。
【発明の開示】
【発明が解決しようとする課題】
【０００３】    そのために、次のような問題点があった。
（イ）小鼻回りの気密性はほとんどない事で、有害物質の排除や、咳などの外部への飛散を防ぐ事は困難であった。
（ロ）全体を使い捨てにする事でムダが多く、環境にも配慮されていない。
（ハ）アゴを動かす事により下方へ下がってくるなどの不備がある。
本発明は、これらの問題点を解決するためのものである。
【課題を解決するための手段】
【０００４】  事前に形成した卵型フレ−ムを、外側カバ−に組付け、このフレ−ムを個々の顔面に合わせ調整を施す。
その内側に不織布で形成した取替部マスクを組付けて使用する。外側カバ−を二重構造とし、上下をクロスさせる事でフレ−ムに適度の圧力を与え、顔面に密着し気密性を高め全体のズレも防止する。使用後は、内側の取替部マスクのみを使い捨てとし、他の部材は再度の使用を可能とする事で廃棄量も減少する。
【発明の効果】
【０００５】  気密性を高めるための卵形フレ−ムを使用する事で、有害物質の排除と飛散防止効果を発揮し、取替部マスクの面積を少なくする事で廃棄量も半減し、外側カバ−を二重構造でクロスさせる事で下方へのズレなども解消する。
環境にも貢献出来る事を特徴とするマスクである。
【発明を実施するための最良の形態】
【０００６】    以下、本発明の実施の形態に付いて説明する。
（イ）フレ−ム
事前に形成した卵型フレ−ム▲１▼を布状の外側カバ−▲２▼の内側に組付け、これを一体化する。一体化されたものを個々の顔面に合わせ曲げ調整を行い、顔面と合致させる。
（ロ）取替え用マスク
不織布で形成したマスク部▲３▼を、（イ）で一体化した物の内部に組付ける。
（ハ）外側カバ−
外側のカバ−▲２▼でマスク全体に適度の圧力をかけ、顔面に密着させる事で気密性を高める。
フレ−ム▲１▼を顔面形状に合致させる事で、小鼻回りの隙間をなくし外側カバ−▲２▼を二重構造でクロスさせる事により全体の密着度を高める。
フレ−ム▲１▼と外側カバ−▲２▼を繰り返し使用可能とする事で、取替マスク部▲３▼の面積を少なく出来る。
本発明は以上にような構成で、これを使用する事により気密性を有し、使い捨ての廃棄量を半減出来る物である。
【図面の簡単な説明】
【０００７】
【図１】  本発明の斜視図
【図２】  本発明の断面図
【符号の説明】
【０００８】  ▲１▼  フレ−ム
▲２▼  外側カバ−
▲３▼  取替マスク
▲４▼  組付け用爪
【図１】
2010264198.tif 000003
【図２】
2010264198.tif 000004
(57)【要約】      （修正有）【課題】眼科の白内障超音波乳化吸引術・眼内レンズ挿入術において用いるところの外径を１．４ｍｍ以下にした灌流スリーブを提供する。【解決手段】超音波チップの外径を０．６５ｍｍ、灌流吸引ハンドピースの吸引カニューラの外径を０．６５ｍｍにする。フォルダブル眼内レンズのインジェクター（レンズの房内挿入補助筒）の外径を約１．３ｍｍにする。灌流スリーブの外径を１．３ｍｍ、内径を１ｍｍにする。切開創口２ｍｍから、超音波チップと灌流吸引ハンドピース及びレンズインジェクターを前房内に挿入し、白内障超音波乳化吸引術および眼内レンズ挿入術を施す。【選択図】図１
2010264195.tif 000002
【特許請求の範囲】
【請求項１】
外径寸法（図１）が１．４０ｍｍ以下（１．４０ｍｍを含まず）であって、かつ１．００ｍｍ以上である灌流スリーブ
【発明の詳細な説明】
【発明の詳細な説明】
【産業上の利用分野】
【０００１】この発明は、眼科の白内障超音波乳化吸引術において使用する超音波チップ及び吸引カニューラ（灌流吸引ハンドピース）に被せて灌流液を前房内に供給するところの灌流スリーブに関するものである。
【背景技術】
【０００２】白内障超音波乳化吸引術が実用化されて約２６年以上にもなるが、灌流スリーブの外径は１．８ｍｍから細くても１．６ｍｍ、である。従って切開創口の長さは３．２ｍｍから２．６ｍｍにとどまる。
【発明が解決しようとする課題】
【０００３】故に、本発明の外径１．４ｍｍの灌流スリーブを基に、外径０．６５ｍｍの超音波チップ及び同じく０．６５ｍｍのカニューラからなる灌流吸引ハンドピース、そして小さく畳めるフォルダブル眼内レンズ、以上の３器具により、白内障超音波乳化吸引術・眼内レンズ挿入術において、超小切開（２．５ｍｍから１．８ｍｍの間）を標準的（ポピュラー）な術式にする。
【課題を解決するための手段】
【０００４】超音波チップの外径を０．６５ｍｍ、灌流吸引ハンドピースの吸引カニューラの外径を０．６５ｍｍにする。フォルダブル眼内レンズのインジェクター（レンズの房内挿入補助筒）の外径を約１．３ｍｍにする。本発明の灌流スリーブは外径を１．３ｍｍ、内径を１ｍｍにする。
この器具の組み合わせの時、切開創口は２．０４ｍｍあれば良い（創口の長さ＝１．３ｍｍ×３．１４÷２）。
超音波チップ、灌流吸引ハンドピースのカニューラの外径と本発明の灌流スーブの内径との隙間は０．１７５ｍｍであり、灌流液の流路を確保する。このスリーブの灌流ポートの個数と径は従来技術品と同一にする。これで手術者は従来と同じ手法のまま、超小切ｇ開（２．５ｍｍから１．８ｍｍ）に移行できる。
【作用】
【０００５】外径０．６５ｍｍの超音波チップに本発明の灌流スリーブ被せて超音波振動ハンドピースに接続して用いる。
同じく外径０．６５ｍｍの吸引カニューラに被せ、灌流吸引ハンドピースとして使用する。
このスリーブの外径は１．３ｍｍであるから、切開創口は２．０４ｍｍで良い。
このように超小切開ながら超音波乳化吸引術・眼内レンズ挿入術に必要な器具の挿入及び操作ができ、従来とほとんど同じ灌流量や漏出量になる。
【実施例】
【０００６】外径１．３ｍｍ、内径１ｍｍの金型にシリコンゴムを流し込み成形する。シリコンゴムは硬い（弾力性がある）物が、創口に押し潰されないで灌流量を確保できる。
灌流ポートの径と個数は従来品と同一にすると灌流量がほぼ同じになる。ステンレススチールでも製作は容易である。
【発明の効果】
【０００７】本発明により、白内障手術における切開は超小創口であるところの、２．５ｍｍ、２．２ｍｍ、２ｍｍ又は１．８ｍｍに変わる。
術後の乱視の発生は切開創口の長さに比例し、特に３．２ｍｍ以下では著しく改善すると言われている。したがって劇的な低減（術後視力の質の向上）を期待できる。又、術後の回復や日常生活復帰期間の短縮をなす。
更に産業的には、超音波チップの外径は２２ゲージが主流になり、２３ゲージや２５ゲージが試用されるであろう。灌流吸引ハンドピースのカニューラは２２ゲージから２５ゲージまで実用されうる。フォルダブル眼内レンズは切開創口２．２ｍｍから１．８ｍｍでもって、挿入できる製品が製造目標となるであろう。
【図面の簡単な説明】
【図１】図１は本発明である灌流スリーブの外観全体図である。
【図２】図２は第１図の破線部を灌流ポート方向から観た灌流スリーブの断面図である。
【図１】
2010264195.tif 000003
【図２】
2010264195.tif 000004
(57)【要約】【課題】  従来、急な雨に見舞われ携帯していた折り畳み傘を使用した後、駅やマーケットなどの屋内に入った時など傘を窄めてもすぐにはきれいに畳めずしかも、びっしょり濡れているとどうしていいか困る事がよくある。電車の中でも折りたたみ傘をつぼめてすぐの状態のまま困りながらそれを持っている人が時々いる。【解決手段】  本発明の傘袋は防水性の布状の素材を使い水漏れがないようにし口を広くしてつぼめたばかりでまだ畳めていない折りたたみ傘でもすぐに入れられ段違いに作った口の片側の裏と表に貼り付けたマジックテープによって丸めた時きちっと口が閉まり中の水が漏れにくくなってカバンなどに収納した時でも周りのものが濡れにくくなる。【選択図】図３
2010264196.tif 000002
【特許請求の範囲】
【請求項１】
防水性のもので口の広い袋状のものをつくり、段違いにした口の部分の裏と表にマジックテープの凹凸を縫い付けて固定しキチンと折りたためなかった折りたたみ傘でも短時間で丸めて収納できるようにした折りたたみ傘用袋。
【発明の詳細な説明】
【技術分野】
【０００１】本発明は雨で濡れた折りたたみ傘を簡単につぼめただけでもすぐに収納できしかも、周りのものを濡らさずにカバンに仕舞える事を可能にする袋に関する。
【背景技術】
【０００２】従来長い傘や折りたたみ傘など雨に濡れているものを屋内に持ち込む時床を濡らさないように仕舞っておける袋は各種ある。
【発明の開示】
【発明が解決しようとする課題】
【０００３】以上に述べた従来の収納袋は口が細いものが多くしかも、口がきっちりと閉まらないためカバンなどに安心して納められなかった。
【課題を解決するための手段】
【０００４】本発明はこのような従来の傘収納袋が持っていた欠点を解決するために考えられたものであり濡れたまま簡単に折りたたんだ折りたたみ傘がどんなに広がってごちゃごちゃになっていても広い口なのですぐに入れられ袋の口の裏と表につけてあるマジックテープによってくるくると丸めれば短時間で簡単にコンパクトな筒状の収納状態になる。マジックテープのために口のところだけきっちりと閉めることができ水漏れがしにくい長所もある使用する布は防水性でしかも、軽さを保て折りたたみ自由なものとする。
【発明の効果】
【０００５】前述したように本発明は雨の日の傘袋はあるものの折りたたみ傘は急いで屋内に入る場合素早くきれいにたためず畳もうすると手が濡れてしまい処置に困る事が多かった。漏れたまま電車の中で持っていると人に迷惑がかかり困る事もあった。このような状況を解決するために本発明は多大な効果をもたらすものである。
【発明を実施するための最良の形態】
【０００６】以下、本発明の実施の形態を図１から図４に基づいて説明する。【０００７】図１に於いて裏がビニールコーティングされた防水性の布で作られた口の広い傘袋４の広がった状態を示している。３は腕に下げる際の持ち手になっていて袋の口は前後高さに差をつけ後方の袋の口のへりの表にマジックテープの凸をつけてある。【０００８】図２に於いて上記と同じ傘袋を広げた状態を示してあるが図１に対して図２は裏から見た状態になっている。袋の口のへりにはマジックテープの凹をつけてある。【０００９】図３に於いて傘袋を広げたところを表してしてある。手前の袋の口は後部よりマジックテープの幅の分低くなっている。【００１０】図４に於いて傘袋に傘を入れ丸めて収納完了した状態を示している。内側に巻く事でマジックテープの凹凸が噛み合い口がぴったり閉まるようになる。
【図面の簡単な説明】
【００１１】
【図１】本発明の傘収納前の袋を開いた状態を示す。側面図裏側
【図２】同上、表側
【図３】同上の傘袋を大きく開口した状態を示す斜面図
【図４】本発明の傘袋に於いて傘を収納した後袋を丸め終わった後の収納完了を示す側面図。
【符号の説明】
【００１２】１．凸のマジックテープ
２．凹のマジックテープ
３．持ち手
４．袋本体
【図１】
2010264196.tif 000003
【図２】
2010264196.tif 000004
【図３】
2010264196.tif 000005
【図４】
2010264196.tif 000006
(57)【要約】【課題】  丸首襟の衣服を衣服ハンガーに挿通する時、襟首部を広げ、引き伸ばしをすることもなく又、衣服にストレスを与えることなくスムーズに抜き差しできる衣服ハンガーを提供する。【解決手段】  フック部分と肩当て部の構成からなる衣服ハンガーで、フックと連接する肩当て部の中央部から下方向へ適度な傾斜を形成し、左右方向には、ほぼ直行で対称に張出す肩当て部を、適度な硬度と柔軟性を有し、変形可能で復元力のあるゴム、ウレタン及び、ポリエチレンなどの発泡成形品及び、硬質スポンジ、シリコーンゴム系などの素材を用いて、屋根形、三角形及び、円形に成形したことを特徴とする衣服ハンガー。【選択図】図２
2010264200.tif 000002
【特許請求の範囲】
【請求項１】
ゴム、ウレタン、発泡スチロール、硬質スポンジ、シリコーンゴムなど、適度な硬度、柔軟性、復元性を有する素材で、断面が二つ折りの屋根形になるように成形し、肩当て部の中央部にフックを設け、肩当て部は、フック部の位置から両端に向けて水平よりやや下方向に傾斜をつけたことを特徴とする衣服ハンガー。
【請求項２】
上記肩当て部の形状を三角形及び、円形に成形したことを特徴とする請求項１に記載の衣服ハンガー。
【発明の詳細な説明】
【技術分野】
【０００１】  本発明は、衣服ハンガーで、肩当て部を任意に変形でき、復元力に優れた弾力性のある素材で形成した衣服ハンガーに関するものである。
【背景技術】
【０００２】  一般的なサイズの衣服ハンガーに、丸首襟の衣服を掛け外しする際、襟首部分を広げ、引き伸ばしながら抜き差しするため、衣服の襟首部分が伸び垂れ下がり、着用時には首へのフィットが損なわれファッション的に嫌忌されていた。
【発明の開示】
【発明が解決しようとする課題】
【０００３】  一般的な衣服ハンガーの肩当て部の張出し長さや、形状が、抜き差しする衣服の丸首開口部より過大な為に必然的に起こり得ることで、この問題を回避するためには、衣服下部の胴体部の開口からハンガーを差入れるなどの所作が必要であった。
本発明は、これらの問題点を解決するためになされたものである。
【課題を解決するための手段】
【０００４】  ゴム、ウレタン、発泡スチロール、硬質スポンジ、シリコーンゴムなど、適度な硬度、柔軟性、復元性を有する素材で、断面が二つ折りの屋根形になるように成形する。肩当て部の中央部にフックを設ける。肩当て部は、フック部の位置から両端に向けて水平よりやや下方向に傾斜をつける。
【発明の効果】
【０００５】  衣服の襟部開口が狭窄であっても、襟首部を広げ、引き伸ばしを行うことなく簡単に挿通、掛け外しが可能になった。
【発明を実施するための最良の形態】
【０００６】  以下、本発明の実施の形態を説明する。
（イ）衣服ハンガー（１）のフック（２）に連接する肩当て部（３）を、適度な硬度を有      し、一定の外力を加えると柔軟に形状変更ができ、外力を解除すると直ちに復元す      るゴム、ウレタン及び、ポリエチレンなどの発泡成形品又は、硬質スポンジ、シリ      コーンゴム系などの素材を用いて創製する。
（ロ）上述の素材を山折りに折り曲げ屋根形（４）に成形し、連接するフック（２）の支      軸下部を頂点として下方向へは適度な傾斜を形成し、左右対称にほぼ直行に張出し      た本体となる肩当て部（３）を創製する。
（ハ）フック（２）は、プラスチック等の周知の素材で、肩当て部（３）の頂点部から上      方向へ突出し取付け成形する。
（ニ）上述の構成からなる衣服ハンガー（１）の左右に張出す肩当て部（３）を任意な位      置で二つ折りに畳み、束ね合わせ、衣服の丸首部（５）の内部へ挿しいれ、持ち手      を離すと、畳み込まれた肩当て部（３）は素材の持つ復元力により左右に観音開き      に開き、常態どおりに復元し衣服ハンガー（１）としての機能を回復する。
次に本発明の請求項２の衣服ハンガーについて図３、図４を用いて説明する。【０００７】（ホ）重量な質量の衣服を掛け留める肩当て部（３）への負担を軽減するため、形状を三      角形（６）及び、円形（７）に形成する。
（ヘ）衣服の加重により前記肩当て部（３）の屋根形（４）の両傾斜部下端が外方向に開      くために発生する座屈を防止し、撓りを軽減するため肩当て部（３）の断面を三角      形（６）に成形した肩当て部（３）を形成する。
（ト）同様に撓りを軽減するため、肩当て部（３）の断面を円形（７）に成形した肩当て      部（３）を形成する。
前述のとおり肩当て部（３）の屋根形（４）、三角形（６）及び、円形（７）の      いずれについても、折り畳みコンパクトに変形し、襟部にストレスをかけることな      く衣服の丸首部（５）への挿通が楽々行へ、満足な結果を得ることができる。又、      衣服を取り外すときも同様に取り扱い、簡単に作業を成しうることができる。
尚、屋根形（４）、三角形（６）及び、円形（７）のいずれの肩当て部（３）の      頂点部付近の成形方法について、上述の素材のうち強度不足により折れ曲がりや、      座屈異変の恐れがある脆弱な素材については、該当する部位の内外部に周知の方法      で補強材（８）を取り付け形成することで解決を図り、取り扱いや、操作に対し、      なんら支障を与えることはない。
【図面の簡単な説明】
【０００８】
【図１】  本発明の斜視図
【図２】  本発明の実施例を示す斜視図
【図３】  本発明の斜視図
【図４】  本発明の斜視図
【図５】  本発明の実施例を示す斜視図
【符号の説明】
【０００９】１      衣類ハンガー
２      フック
３      肩当て部
４      屋根形
５      丸首部
６      三角形
７      円形
８      補強材
【図１】
2010264200.tif 000003
【図２】
2010264200.tif 000004
【図３】
2010264200.tif 000005
【図４】
2010264200.tif 000006
【図５】
2010264200.tif 000007
(57)【要約】【課題】従来の色々な形態の紙製筒（○、△、□、−−−−）はいずれも一旦形成されれば、これを開閉したり、折りたたむことはできないので不便である。この欠点を解決するのが本発明の課題である。【解決手段】１枚のヨコ長の用紙を複数の折筋によって複数区画に分割し、その巾狭い発端を内側に折りながらその３墺に接着剤を施して接着し、残りの１辺をカットしてポケット状とし、他方用紙の巾狭い末端の上下端に切り欠きを施し、この末端を前記ポケットに入れ易いようにし、この用紙を折り筋によって折り、発端と末端をはめ込むことによって折りたたみ式紙筒とする。【選択図】図１
2010264735.tif 000002
【特許請求の範囲】
【請求項１】
１枚のヨコ長の長方形の用紙を等間隔又は不等間隔に折筋を設け、その発端及び末端には、それぞれ巾の狭い部分（フラップ）を設け、発端タラップの内側の３辺にのりを施して、内側に折り曲げて接着し、かつ折り目をカットして開口部付きポケットとする。他方末端フラップの上下端に切り欠きを設け、全体を折り筋によって折ったとき、発端ポケットに末端フラップを挿入すれば、全体を筒状にすることができ、かつこの筒の外側の一部に巾の狭い用紙を貼り付けてポケットとし、その中に筒とは別のカード、薄い冊子を添付することができると同時に、逆に末端フラップを引き抜けば、全体を折りたたむことができることを特徴とする折りたたみ式紙筒。
【発明の詳細な説明】
【技術分野】
【０００１】本発明は、主として紙製筒に関するものである。
【背景技術】
【０００２】従来の紙筒は、円筒又は角型でも閉鎖的でこれを開閉することができず、また全体の形を変えたり、かさばるの嫌って筒を折りたたみたくても困難で、この点極めて不便である。
【発明の開示】
【発明が解決しようとする課題】
【０００３】０００２で述べられた従来技術の欠点を改良、解決しようとするのが本発明の課題である。
【課題を解決しようとする手段】
【０００４】一枚のヨコ長の長方形の用紙に所定の間隔に折筋を施して、所要の形例えば三角形、四角形などの多角形に折ることが出来るようにし、この用紙の発端及び末端にそれぞれ巾の狭いフラップを設け、このフラップ同志をオス・メスの関係にはめ込むことによって、発端と末端をつなぎ多角形の筒を完成し、また、末端のフラップを引き抜けば、全体は一枚の用紙となり、折筋によってかさばらないように折りたたむことが出来る。
【発明の効果】
【０００５】１．用紙に施す折り筋の間隔や本数を変えることによって△、□、長方形、五角形、六角形などの多種類の形状のものを簡単に造ることができる。
２．発端と末端のフラップを開閉することにより、簡単に組立・分解ができる。
３．分解できるので折りたためば平になって、かさばらずこの紙筒を容易に包装又は郵送用封筒に入れることができる。
４．ジグザグに折られた１グループの連続用紙をブックの本文とし、本発明による長方形の紙筒を表紙として接着すえば、本文の四辺が包まれ、、頁めくりが容易で見開きのよいＵＤ（ユニバーサルデザイン）ブックができる。
５．本発明による三角筒の外側に底の浅いポケットを設ければ、その中にカード、写真、絵、パンフレットなどをこの中に挿入し、卓上に置けばこれらを閲覧し易く便利である。
【発明を実施する上での最良の形態】
【実施例１】図１、２、３、４、５【０００６】図１に於いて、１枚のヨコ長の用紙１を５区画１−１、１−２、１−３、１−４、１−５に分け、両端区画１−１、１−５は巾狭くしてフラップと呼び、各区画は折筋２−１、２−２、２−３、２−４により分割されており、１−１にはコの字型ののり３を施して折筋２−１によって内側に折り曲げて接着しポケットが形成され、更に折目２−１はカットされてポケットの開口部となり、末端フラップ１−５の上下端には巾の狭い切欠き４−１、４−２を設け（図２）、この用紙を３角形に折って（図３）、末端１−５を発端のポケット１−１の開口部２−１に挿入すれば図４のような三角筒が得られ、また逆にこの三角筒に於いて１−５をポケット１−１から引き出せばもとの長方形の用紙１が得られ、これを図５のようにかさばらず平に折たたむことができる。同様にして四角、五角形の多角形の紙筒が容易に得られる。
また、図４のように、三角筒の外側に開口部をもった巾の狭い用紙６を貼り付けてポケットを設ければ、その中にカード、薄い冊子、カタログなどを挿入することができて便利である。
【実施例２】図６、７、８、９【０００７】図６及び７に於いて、１枚のヨコ長の用紙を６区画１−１、１−２、１−３  １−４、１−５、１−６に分け、両端１−１、１−６は実施例１と同様それぞれポケット式発端及び切り欠き付き末端とし（図７）、これを組み立てた時図８ようになり、また中間区画１−３及び１−５の巾は、この紙筒によって包まれる図９の如き長方形の内容物５の厚さに相当する寸法とする。この内容物として、ジグザグ状に折られた連続用紙を利用し、それをブックの本文とし、その一部に図９のような接着剤７を施して図８のような紙筒によるカバーによってカバーすれば、図９のように周囲を完全に包まれたカバー付き連続ブックが得られる。
【図面の簡単な説明】
【０００８】
【図１】：本発明による紙筒の原紙の正面図
【図２】：本発明による紙筒の原紙の詳細正面図
【図３】：本発明による紙筒の組立側面図
【図４】：本発明による紙筒の組立側面図
【図５】：本発明による紙筒の折りたたみ側面図
【図６】本発明によるブックカバー用原紙の正面図
【図７】本発明によるブックカバー用原紙の詳細正面図
【図８】本発明によるブックカバー用原紙の組立側面図
【図９】本発明によるブックカバーによる包装の組立側面図
【符号の説明】
【０００９】１                  ：本発明による紙筒の基本用紙
１−１、１−２、１−３、１−４、１−５、１−６  ：基本用紙１の分割された区画
２−１、２−２、２−３、２−４  ：基本用紙に施された折筋
３                  ：基本用紙の発端区画に施された接着剤
４−１、４−２      ：基本用紙の末端区画に施された切欠き
５                  ：基本用紙によって包まれる長方形の内容物
６                  ：本発明による紙筒の外側に設けられたポケット
７                  ：本発明による紙筒の内側に施された接着剤
【図１】
2010264735.tif 000003
【図２】
2010264735.tif 000004
【図３】
2010264735.tif 000005
【図４】
2010264735.tif 000006
【図５】
2010264735.tif 000007
【図６】
2010264735.tif 000008
【図７】
2010264735.tif 000009
【図８】
2010264735.tif 000010
【図９】
2010264735.tif 000011